【事件の表示】
　上記当事者間の登録第２３５６２３５号の２商標の登録取消審判事件について、次のとおり審決する。
【結　論】
　本件審判の請求は、成り立たない。
　審判費用は、請求人の負担とする。
【理　由】
１　本件商標
　本件登録第２３５６２３５号の２商標（以下「本件商標」という。）は、「Ｂｌｕｅ　Ｎｉｌｅ」の文字を書してなり、第２１類「装身具、ボタン類、かばん類、袋物、宝玉及びその模造品、造花、化粧用具」を指定商品として、平成１年８月２１日登録出願、同３年１１月２９日に設定登録、その後、平成１２年４月３日に商標権の分割移転登録がなされ、第２１類「身飾品，宝玉及びその模造品」を指定商品として、平成１３年１０月１６日に商標権の存続期間の更新の登録がなされ、現に有効に存続しているものである。
　
２　請求人の主張
　請求人は、商標法第５０条第１項の規定により、本件商標の指定商品「身飾品，宝玉及びその模造品」について登録を取り消す、審判費用は被請求人の負担とする、との審決を求め、その理由及び答弁に対する弁駁を次のように述べた。
（１）本件商標は、継続して３年以上、日本国内において、商標権者、専用使用権者又は通常使用権者のいずれもが、前記商品について使用していないものであるから、商標法第５０条第１項の規定により取り消されるべきものである。
（２）乙第１号証について
　被請求人は、乙第１号証の通常使用権許諾証書によって、同人が通常使用権者であったことを立証しようとしている。
　しかしながら、この通常使用権許諾証書は、被請求人の側に立つものであることが明らかな、分割前の本件商標の権利者が被請求人に対して、一方的に作成、押印したものに過ぎず、被請求人が通常使用者であったことを何ら客観的に証明するものではない。
　さらに、企業間で通常使用権を設定する場合は、このような許諾書ではなく、登録商標の使用に関して、対価、期間、地域等様々な条項を定めた使用権契約書を当事者間で交わすものである。しかも、通常使用権が許諾されたとされる平成１１年１２月２０日から、わずか一ヶ月足らずの間に、本件商標が譲渡されている（甲第１号証：単独申請承諾書）。取引の経験則からして、商標権の譲渡の一ヶ月前に通常使用権の許諾がされることはあり得ない。
　これらのことから、通常使用権の許諾がされたこと自体極めて疑わしいものと考えざるを得ない。
（３）乙第２号証について
　被請求人の側に立つ者であることが明らかな同人の商品の販売を行っている者が一方的に述べたものであって、何ら本件商標の使用を客観的に立証したものではない。
　さらに、この証明書に添付された写真は本件審判の予告登録後に撮影されたものであるから、取消を免れるための証拠方法としては全く価値のないものである。
（４）乙第３号証・乙第４号証について
　これら納品書には「ブルーナイル」の文字が手書きで記入されているが、ここに述べた商品番号「ＰＤＪＯ０３４０３１３」、「ＰＤＡ０２４１０４１１」が本件商標の使用された商品であるならば、コードリスト等を提出することによって、容易にその事実が立証できる筈である。にもかかわらず、コードリスト等が提出されていないことは、商品番号「ＰＤＪＯ０３４０３１３」、「ＰＤＡ０２４１０４１１」が本件商標が使用された商品ではないと判断せざるを得ない。
　さらに、上述したように、この納品書の日付時点では、被請求人は、通常使用権者ではなかった。
　以上のことから、被請求人の提出した証拠は、（ア）本件商標の取消審判の予告登録前３年以内の使用、（イ）商標権者、専用使用権者，通常使用権者いずれの者の使用、（ウ）本件商標の指定商品についての使用のいずれの事項をも客観的に立証するものではない。したがって、商標法第５０条の規定により本件商標の商標登録の取消は免れない。
　
 ３　被請求人の答弁
　被請求人は、結論同旨の審決を求め、請求の理由に対する答弁を次のように述べ、証拠方法として、乙第１号証ないし同第４号証を提出した。
（１）本件商標は、本件審判の請求の予告登録の日前３年以内に通常使用権者（本件商標権者）により、日本国内において、商品「ペンダント、指輪などの身飾品」について使用されていたものである。
　即ち、本件商標は、「Ｂｌｕｅ　Ｎｉｌｅ」の欧文字を横書きしてなり、旧第２１類「装身具、ボタン類、かばん類、袋物、宝玉およびその模造品、造花、化粧用具」を指定商品として、平成１年８月２１日に登録出願、同３年１１月２９日に登録された登録第２３５６２３５号商標の指定商品中の「身飾品、宝玉およびその模造品」に係る商標権が分割され、その移転登録が平成１２年４月３日になされたものである。
　ところで、被請求人は、本件商標権の分割譲渡交渉の際、一日も早い本件商標の使用を実現すべく、分割移転登録前の平成１１年１１月２０日付けで分割前の商標権につき通常使用権の許諾を受け、指定商品中の「ペンダント、指輪などの身飾品」について「Ｂｌｕｅ　Ｎｉｌｅ」商標の使用を開始したものである（乙第１号証乃至同４号証）。
（２）答弁に対する弁駁
（ア）乙第１号証について
審判請求人は、「この通常使用権許諾書は、被請求人の側に立つものであることが明らかな、分割前の本件商標の権利者が被請求人に対して、一方的に作成，押印したものに過ぎず、被請求人が通常使用権者であったことを何ら客観的に証明するものではない。とか、取引の経験則からして、商標権の譲渡の一ケ月前に通常使用権の許諾がされることはありえない。」などと主張している。
　しかしながら、該通常使用権の許諾は、以下に述べるような特殊な事情のもとになされたものであることを客観的に立証するものであることは明らかである。
　しかも、通常使用権の許諾は、元来、片務契約であり、商標権利者の一方的意思表示によりなされるものであり、かつ、専用使用権と異なり、登録が効力発生要件ではないことから、商標権利者の意思が確認できるもの（本件事案にあっては「通常使用権許諾証書」）が存在する限り、それが偽物であることなどが立証されない場合には商標権利者の意思が客観的に立証されたというべきであり、請求人の主張は失当である。
　被請求人は、平成１１年１０月頃より、商品「ペンダント、指輪などの身節品」に「Ｂｌｕｅ　Ｎｉｌｅ（ブルーナイル）」の商標を付して販売することを企画し、商標登録出願を検討したところ、「Ｂ１ｕｅ　Ｎｉｌｅ」の文字からなる登録第２３５６２３５号商標が存在していることが判明した。
　そこで、該登録商標が指定商品中の身飾品について使用されているかどうか調査してみたところ、使用の事実が発見できなかったので、商標権利者に商標権の譲渡につき打診してみたところ、「身飾品」についての分割譲渡契約が成立する感触を得るにいたったが、該登録商標に係る商標権は、すでに設定登録後７年以上経過しており、その間該登録商標が指定商品中の身飾品やその類似商品たる「宝石およびその模造品」について一度も使用されていなかったことも判明した。
　このような事情の下では、折角商標権を譲り受けても、商標権の移転登録には相当の期間を要すること、移転登録以前に取消審判が請求されたら意味がなくなること、その段階では取消審判の予告登録もなされていなかったこともあり、該商標権の移転登録を有効にするためにも可及的速やかに商標の使用を開始する必要があった。
　そのため、万一の場合を慮って、移転登録以前からの商標の使用を開始するために使用許諾を受けたものに他ならないし、念のため、被請求人は、平成１２年１月１４日付けで「ｂｌｕｅ　ｎｉｌｅ」及び「ブルーナイル」の文字を二段併記してなる商標登録出願（商願２０００一１６５４）をしている事実もある。
　したがって、このような状況下での通常使用権の許諾については、請求人が主張するような疑問をさし挟む余地は全くないものである。
（ウ）乙第２号証について、
　請求人は、乙第２号証について種々のべているが、その主張はすべて失当である。
　乙第２号証は、添付の写真が仮令、本件審判の予告登録後に撮影したものであるとしても、証明者の社屋の入り口およびショールームを撮影したものであることおよび過去の事実を証明したものであり、取消を免れるための証拠方法として価値のないものでは決してない。
（エ）乙第３号証・乙第４号証について
　請求人は、「乙第３号証・乙第４号証について、コードリスト等を提出していないことをもって、この納品書の日付け時点では、被請求人は、通常使用権者ではなかった。」旨主張している。
　しかしながら、乙第３号証・乙第４号証は、取引書類の写しであり、納品書等の取引書類に商標を手書きで表示することは、取引の実際にあっては、普通に行われているところである。しかも、本件商標の使用の事実は、乙第１号証乃至同第４号証を総合して判断されるべきものであるから、これら書証が事実に反し、偽造されたものであること等を反証をもって立証しない限り、請求人の主張は失当であるといわなければならない。
　なお、本件商標に係る商標権については、本答弁書と同日付けで合併による商標権移転登録申請書を提出していることを申し添える。
　
４　当審の判断
　請求人は、請求の趣旨及び請求の理由において、「本件商標は、指定商品中『身飾品，宝玉及びその他の模造品』について取消す。」と主張しているが、「…指定商品『身飾品，宝玉及びその模造品』…」と認められるから、以上のよう認定して、以下判断する。
　被請求人の提出した乙第１号証の「通常使用権許諾書」よりすれば、被請求人「株式会社　タカハシ」は、ティーピーダイヤモンド株式会社に本件商標について、地域、期間、内容を定めて平成１１年１２月２０日付で通常使用権を許諾していたことが認められる。
　同じく、乙第２号証ないし乙第４号証の「証明書」及び「納品書」よりすれば、ティーピーダイヤモンド株式会社の製造する「Ｂｌｕｅ　Ｎｉｌｅ」のタグを付けたネックレス、ペンダント、指輪等を東京真珠株式会社が平成１１年１２月頃より展示販売していたこと、そして、該ティーピーダイヤモンド株式会社が東京大山株式会社及び株式会社リオインターナショナルに「ブルーナイル」なる商品番号「ＰＤＪＯ０３４０３１３」、「ＰＤＡ０２４１０４１１」のダイヤペンダントトップ及びダイヤリングを２０００（平成１２）年１月２７日及び２０００（平成１２）年２月７日にそれぞれ納品したことが認められる。
　そして、ネックレス、指輪のタグに表示された商標「Ｂｌｕｅ　Ｎｉｌｅ」は、社会通念上本件商標と同一と認められる。
　以上の各証拠を総合勘案すれば、本件商標は、被請求人によって、本件審判請求の登録（平成１２年７月１２日）前３年以内に日本国内において、本件商標と社会通念上同一の商標をその指定商品中の「ペンダント、指輪」について使用していたものといわざるを得ない。
　したがって、本件商標は、商標法５０条の規定によりその登録を取り消すことはできない。
　なお、請求人は、本件商標について通常使用権の許諾がされたことは極めて疑わしい旨主張しているが、同人は、具体的に、通常使用権許諾証書が偽物であることを何ら立証していないので、請求人の主張は採用できない。
　よって、結論のとおり審決する。